(57)【要約】【課題】  ログ画像を生成する場合であってもジョブを早期に実行することができる画像形成装置およびジョブ実行プログラムを提供する。【解決手段】  ＭＦＰは、記憶部と、画像に基づいたジョブを実行する（Ｓ１６１）ジョブ実行手段と、ジョブ実行手段によるジョブの実行（Ｓ１６１）と並行して画像のＲＡＷ画像を記憶部に保存する（Ｓ１６２）ＲＡＷ画像保存手段と、記憶部に保存されたＲＡＷ画像に基づいて画像の履歴としてのログ画像を生成するログ画像生成手段とを備え、ログ画像生成手段は、ジョブ実行手段によるジョブの実行の終了後にログ画像を生成することを特徴とする。【選択図】  図６
2014179961.tif 000002
【特許請求の範囲】
【請求項１】
記憶デバイスと、
画像に基づいたジョブを実行するジョブ実行手段と、
前記ジョブ実行手段による前記ジョブの実行と並行して前記画像のＲＡＷ画像を前記記憶デバイスに保存するＲＡＷ画像保存手段と、
前記記憶デバイスに保存された前記ＲＡＷ画像に基づいて前記画像の履歴としてのログ画像を生成するログ画像生成手段とを備え、
前記ログ画像生成手段は、前記ジョブ実行手段による前記ジョブの実行の終了後に前記ログ画像を生成することを特徴とする画像形成装置。
【請求項２】
前記記憶デバイスは、不揮発性の記憶デバイスであることを特徴とする請求項１に記載の画像形成装置。
【請求項３】
前記ログ画像生成手段は、前記画像形成装置が起動された場合に、前記ログ画像が生成されていない前記ＲＡＷ画像が前記記憶デバイスに保存されているとき、このＲＡＷ画像に基づいて前記ログ画像を生成することを特徴とする請求項２に記載の画像形成装置。
【請求項４】
前記ログ画像生成手段による前記ログ画像の生成の時期の指定を受け付けるログ画像生成時期受付手段を備え、
前記ログ画像生成手段は、前記ログ画像生成時期受付手段によって受け付けられた時期に前記ログ画像を生成することを特徴とする請求項１から請求項３までの何れかに記載の画像形成装置。
【請求項５】
前記ログ画像生成手段によって生成された前記ログ画像を外部に送信するログ画像送信手段と、
前記ログ画像送信手段による前記ログ画像の送信の時期の指定を受け付けるログ画像送信時期受付手段とを備え、
前記ログ画像送信手段は、前記ログ画像送信時期受付手段によって受け付けられた時期に前記ログ画像を送信することを特徴とする請求項１から請求項４までの何れかに記載の画像形成装置。
【請求項６】
記憶デバイスを備える画像形成装置によって実行されるジョブ実行プログラムであって、
画像に基づいたジョブを実行するジョブ実行手段、
前記ジョブ実行手段による前記ジョブの実行と並行して前記画像のＲＡＷ画像を前記記憶デバイスに保存するＲＡＷ画像保存手段、および、
前記記憶デバイスに保存された前記ＲＡＷ画像に基づいて前記画像の履歴としてのログ画像を生成するログ画像生成手段として前記画像形成装置を機能させ、
前記ログ画像生成手段は、前記ジョブ実行手段による前記ジョブの実行の終了後に前記ログ画像を生成することを特徴とするジョブ実行プログラム。
【発明の詳細な説明】
【技術分野】
【０００１】
本発明は、画像に基づいたジョブを実行する場合にこの画像の履歴としてのログ画像を生成する画像形成装置およびジョブ実行プログラムに関する。
【背景技術】
【０００２】
企業などの組織において画像形成装置を使用した情報漏洩が発生している。例えば、組織内で紙によって保管されている機密情報が画像形成装置によって複写されて複写物が生成され、この複写物が組織外に持ち出されることによって情報漏洩が発生する。
【０００３】
このような画像形成装置を使用した情報漏洩の発生を抑えるために、従来、画像に基づいたジョブを実行する場合にこの画像の履歴としてのログ画像を生成して保存する画像形成装置が知られている（特許文献１、２参照。）。特許文献１に記載されている画像形成装置は、ジョブのログ画像を生成して保存した後でこのジョブを実行するものである。特許文献２に記載されている画像形成装置は、ジョブのログ画像を生成して保存した後でこのジョブを実行するか、ジョブの実行と並行してこのジョブのログ画像を生成して保存するかを設定することができるものである。
【０００４】
これらの従来の画像形成装置によれば、何れの利用者がどのような画像に基づいたジョブを実行したかをログ画像に基づいて管理者が把握することができる。したがって、従来の画像形成装置においては、例えば、情報漏洩などの違反の発生を管理者が未然に阻止することができる場合がある。また、従来の画像形成装置においては、管理者が違反者を特定することができるので、利用者による違反を心理的に抑制することができる。
【先行技術文献】
【特許文献】
【０００５】
【特許文献１】特開２００７−１６６１７５号公報
【特許文献２】特開２００７−０６８１００号公報
【発明の概要】
【発明が解決しようとする課題】
【０００６】
しかしながら、特許文献１に記載されている画像形成装置においては、ジョブのログ画像が生成されて保存されるまで、このジョブが実行されることがないので、ジョブのログ画像の生成および保存に時間がかかった場合に、ジョブの実行が遅れる。すなわち、特許文献１に記載されている画像形成装置においては、ジョブの実行の終了まで利用者を長期間待機させる場合がある。したがって、特許文献１に記載されている画像形成装置においては、利用者の業務効率を落とす場合があるという問題がある。
【０００７】
特許文献２に記載されている画像形成装置においても、ジョブのログ画像を生成して保存した後でこのジョブを実行することが設定されている場合には、特許文献１に記載されている画像形成装置と同様に、利用者の業務効率を落とすときがあるという問題がある。
【０００８】
また、特許文献２に記載されている画像形成装置においては、ジョブの実行と並行してこのジョブのログ画像を生成して保存することが設定されている場合には、ジョブの実行の処理だけでなく、ジョブのログ画像の生成および保存の処理にもＣＰＵ（Ｃｅｎｔｒａｌ  Ｐｒｏｃｅｓｓｉｎｇ  Ｕｎｉｔ）に負担をかけるので、結果として、ジョブの実行が遅れる。すなわち、特許文献２に記載されている画像形成装置においては、やはり、ジョブの実行の終了まで利用者を長期間待機させる場合がある。したがって、特許文献２に記載されている画像形成装置においては、ジョブの実行と並行してこのジョブのログ画像を生成して保存することが設定されている場合にも、利用者の業務効率を落とすときがあるという問題がある。
【０００９】
そこで、本発明は、ログ画像を生成する場合であってもジョブを早期に実行することができる画像形成装置およびジョブ実行プログラムを提供することを目的とする。
【課題を解決するための手段】
【００１０】
本発明の画像形成装置は、記憶デバイスと、画像に基づいたジョブを実行するジョブ実行手段と、前記ジョブ実行手段による前記ジョブの実行と並行して前記画像のＲＡＷ画像を前記記憶デバイスに保存するＲＡＷ画像保存手段と、前記記憶デバイスに保存された前記ＲＡＷ画像に基づいて前記画像の履歴としてのログ画像を生成するログ画像生成手段とを備え、前記ログ画像生成手段は、前記ジョブ実行手段による前記ジョブの実行の終了後に前記ログ画像を生成することを特徴とする。
【００１１】
この構成により、本発明の画像形成装置は、画像に基づいたジョブの実行と並行してこの画像のＲＡＷ画像を記憶デバイスに保存し、記憶デバイスに保存したＲＡＷ画像に基づいてログ画像をジョブの実行の終了後に生成するので、ログ画像を生成する場合であってもジョブを早期に実行することができる。
【００１２】
また、本発明の画像形成装置において、前記記憶デバイスは、不揮発性の記憶デバイスであっても良い。
【００１３】
この構成により、本発明の画像形成装置は、ログ画像の生成中に電源が遮断されたとしても、その後、起動された場合に、記憶デバイスに保存されているＲＡＷ画像に基づいてログ画像を生成することができる。したがって、本発明の画像形成装置は、実行したジョブのログ画像が生成されないという不具合の発生を抑えることができる。
【００１４】
また、本発明の画像形成装置において、前記ログ画像生成手段は、前記画像形成装置が起動された場合に、前記ログ画像が生成されていない前記ＲＡＷ画像が前記記憶デバイスに保存されているとき、このＲＡＷ画像に基づいて前記ログ画像を生成しても良い。
【００１５】
この構成により、本発明の画像形成装置は、ログ画像の生成中に電源が遮断されたとしても、その後、起動された場合に、記憶デバイスに保存されているＲＡＷ画像に基づいてログ画像を自動で生成することができる。したがって、本発明の画像形成装置は、実行したジョブのログ画像が生成されないという不具合の発生をより確実に抑えることができる。
【００１６】
また、本発明の画像形成装置は、前記ログ画像生成手段による前記ログ画像の生成の時期の指定を受け付けるログ画像生成時期受付手段を備え、前記ログ画像生成手段は、前記ログ画像生成時期受付手段によって受け付けられた時期に前記ログ画像を生成しても良い。
【００１７】
この構成により、本発明の画像形成装置は、管理者が希望する時期にログ画像を生成することができる。
【００１８】
また、本発明の画像形成装置は、前記ログ画像生成手段によって生成された前記ログ画像を外部に送信するログ画像送信手段と、前記ログ画像送信手段による前記ログ画像の送信の時期の指定を受け付けるログ画像送信時期受付手段とを備え、前記ログ画像送信手段は、前記ログ画像送信時期受付手段によって受け付けられた時期に前記ログ画像を送信しても良い。
【００１９】
この構成により、本発明の画像形成装置は、管理者が希望する時期にログ画像を送信することができる。
【００２０】
本発明のジョブ実行プログラムは、記憶デバイスを備える画像形成装置によって実行されるジョブ実行プログラムであって、画像に基づいたジョブを実行するジョブ実行手段、前記ジョブ実行手段による前記ジョブの実行と並行して前記画像のＲＡＷ画像を前記記憶デバイスに保存するＲＡＷ画像保存手段、および、前記記憶デバイスに保存された前記ＲＡＷ画像に基づいて前記画像の履歴としてのログ画像を生成するログ画像生成手段として前記画像形成装置を機能させ、前記ログ画像生成手段は、前記ジョブ実行手段による前記ジョブの実行の終了後に前記ログ画像を生成することを特徴とする。
【００２１】
この構成により、本発明のジョブ実行プログラムは、画像に基づいたジョブの実行と並行してこの画像のＲＡＷ画像を記憶デバイスに保存し、記憶デバイスに保存したＲＡＷ画像に基づいてログ画像をジョブの実行の終了後に生成するので、ログ画像を生成する場合であってもジョブを早期に実行することができる。
【発明の効果】
【００２２】
本発明の画像形成装置およびジョブ実行プログラムは、ログ画像を生成する場合であってもジョブを早期に実行することができる。
【図面の簡単な説明】
【００２３】
【図１】本発明の一実施の形態に係る画像形成システムのブロック図である。
【図２】図１に示すＭＦＰのブロック図である。
【図３】図２に示すジョブログデータベースの一例を示す図である。
【図４】ログ画像の生成の時期の指定を受け付ける場合の図２に示すＭＦＰの動作のフローチャートである。
【図５】ジョブログの送信の時期の指定を受け付ける場合の図２に示すＭＦＰの動作のフローチャートである。
【図６】ジョブを実行する場合の図２に示すＭＦＰの動作のフローチャートである。
【図７】ログ画像を生成する場合の図２に示すＭＦＰの動作のフローチャートである。
【図８】ジョブログを送信する場合の図２に示すＭＦＰの動作のフローチャートである。
【図９】起動された場合の図２に示すＭＦＰの動作のフローチャートである。
【発明を実施するための形態】
【００２４】
以下、本発明の一実施の形態について、図面を用いて説明する。
【００２５】
まず、本実施の形態に係る画像形成システム１０の構成について説明する。
【００２６】
図１は、本実施の形態に係る画像形成システム１０のブロック図である。
【００２７】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０を含む複数のＭＦＰと、ＭＦＰ２０を含む複数のＭＦＰを管理するコンピューターである管理サーバー３０と、ＭＦＰ２０を含む複数のＭＦＰに印刷データを送信可能であるＰＣ（Ｐｅｒｓｏｎａｌ  Ｃｏｍｐｕｔｅｒ）４０を含む複数のＰＣとを備えている。ＭＦＰ２０を含む複数のＭＦＰと、管理サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。同様に、ＭＦＰ２０を含む複数のＭＦＰと、ＰＣ４０を含む複数のＰＣとは、ネットワーク１１を介して互いに通信可能に接続されている。
【００２８】
画像形成システム１０に含まれている複数のＭＦＰのそれぞれの構成は、ＭＦＰ２０の構成と同様である。したがって、以下においては、画像形成システム１０に含まれる複数のＭＦＰを代表してＭＦＰ２０について説明する。
【００２９】
図２は、ＭＦＰ２０のブロック図である。
【００３０】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００３１】
操作部２１は、表示部２２とともにタッチパネルを形成する入力デバイスを含んでいても良い。
【００３２】
記憶部２７は、ＭＦＰ２０によって実行されるジョブ実行プログラム２７ａを記憶している。ジョブ実行プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００３３】
記憶部２７は、複数のＲＡＷ画像２７ｂと、ＭＦＰ２０によるジョブの履歴であるジョブログを格納しているジョブログデータベース２７ｃとを記憶することが可能である。
【００３４】
図３は、ジョブログデータベース２７ｃの一例を示す図である。
【００３５】
図３に示すジョブログデータベース２７ｃには、複数のジョブログのそれぞれが各行に表示されている。ジョブログには、「ジョブＩＤ」、「部門名」、「利用者名」、「ジョブ種類」、「カラー／モノクロ」、「入力ページ数」、「出力ページ数」、「結果」など、ジョブに関する種々の情報が含まれている。「ジョブＩＤ」は、ジョブの識別情報である。「部門名」は、ジョブを実行した利用者が所属する部門の識別情報である。「利用者名」は、ジョブを実行した利用者の識別情報である。「ジョブ種類」は、例えば、ネットワーク通信部２６（図２参照。）を介してＭＦＰ２０（図２参照。）の外部から受信した印刷データをプリンター２４（図２参照。）によって印刷する「印刷」、スキャナー２３（図２参照。）によって原稿から読み取られた画像をプリンター２４によって印刷する「コピー」、スキャナー２３によって原稿から読み取られた画像をファックス通信部２５（図２参照。）を介してＭＦＰ２０の外部にファックス送信する「ファックス」など、ジョブの種類を示す情報である。「カラー／モノクロ」は、ジョブがカラーのジョブであるか、モノクロのジョブであるかを示す情報である。「入力ページ数」は、ジョブのために入力されたページ数を示す情報である。「出力ページ数」は、ジョブの実行によって出力されたページ数を示す情報である。「出力ページ数」は、両面印刷、集約印刷などの印刷の種類によっては「入力ページ数」より少なくなる場合がある。「結果」は、ジョブの実行が成功したか否かを示す情報である。ジョブログに含まれている「ログ画像」は、ジョブ対象画像の履歴としてのログ画像へのリンクを示す情報である。したがって、ジョブログには、実質的にログ画像が含まれている。なお、ログ画像自体は、記憶部２７（図２参照。）に記憶されている。
【００３６】
図２に示すように、記憶部２７は、ログ画像の生成の時期を指定しているログ画像生成時期指定情報２７ｄと、ジョブログの送信の時期を指定しているジョブログ送信時期指定情報２７ｅとを記憶している。
【００３７】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００３８】
制御部２８は、記憶部２７に記憶されているジョブ実行プログラム２７ａを実行することによって、画像に基づいたジョブを実行するジョブ実行手段２８ａ、ジョブ実行手段２８ａによるジョブの実行と並行してジョブが基づく画像のＲＡＷ画像２７ｂを記憶部２７に保存するＲＡＷ画像保存手段２８ｂ、記憶部２７に保存されたＲＡＷ画像２７ｂに基づいて画像の履歴としてのログ画像を生成するログ画像生成手段２８ｃ、記憶部２７に保存されているジョブログを外部に送信するジョブログ送信手段２８ｄ、ログ画像生成手段２８ｃによるログ画像の生成の時期の指定を受け付けるログ画像生成時期受付手段２８ｅ、および、ジョブログ送信手段２８ｄによるジョブログの送信の時期の指定を受け付けるジョブログ送信時期受付手段２８ｆとして機能する。なお、上述したように、ジョブログには、ログ画像が含まれている。したがって、ジョブログ送信手段２８ｄは、本発明のログ画像送信手段を構成している。同様に、ジョブログ送信時期受付手段２８ｆは、本発明のログ画像送信時期受付手段を構成している。
【００３９】
次に、画像形成システム１０の動作について説明する。
【００４０】
まず、ログ画像の生成の時期の指定を受け付ける場合のＭＦＰ２０の動作について説明する。
【００４１】
ＭＦＰ２０の管理者は、例えば、ＰＣ４０からログ画像の生成の時期の指定をＭＦＰ２０に指示したり、ＭＦＰ２０の操作部２１からログ画像の生成の時期の指定をＭＦＰ２０に指示したりすることができる。管理者が選択することができる時期としては、例えば、ＭＦＰ２０がスリープモードに入る直前の時期、管理者によって設定された任意の日時など、様々な時期が採用されることが可能である。
【００４２】
ＭＦＰ２０の制御部２８のログ画像生成時期受付手段２８ｅは、ログ画像の生成の時期の指定が指示されると、図４に示す動作を実行する。
【００４３】
図４は、ログ画像の生成の時期の指定を受け付ける場合のＭＦＰ２０の動作のフローチャートである。
【００４４】
図４に示すように、ログ画像生成時期受付手段２８ｅは、ログ画像の生成の時期の指定を受け付ける（Ｓ１０１）。
【００４５】
次いで、ログ画像生成時期受付手段２８ｅは、Ｓ１０１において受け付けた時期をログ画像生成時期指定情報２７ｄに保存して（Ｓ１０２）、図４に示す動作を終了する。
【００４６】
次に、ジョブログの送信の時期の指定を受け付ける場合のＭＦＰ２０の動作について説明する。
【００４７】
ＭＦＰ２０の管理者は、例えば、ＰＣ４０からジョブログの送信の時期の指定をＭＦＰ２０に指示したり、ＭＦＰ２０の操作部２１からジョブログの送信の時期の指定をＭＦＰ２０に指示したりすることができる。管理者が選択することができる時期としては、例えば、利用者がＭＦＰ２０に対してログアウトを実行した時期、管理者によって設定された任意の日時など、様々な時期が採用されることが可能である。
【００４８】
ＭＦＰ２０の制御部２８のジョブログ送信時期受付手段２８ｆは、ジョブログの送信の時期の指定が指示されると、図５に示す動作を実行する。
【００４９】
図５は、ジョブログの送信の時期の指定を受け付ける場合のＭＦＰ２０の動作のフローチャートである。
【００５０】
図５に示すように、ジョブログ送信時期受付手段２８ｆは、ジョブログの送信の時期の指定を受け付ける（Ｓ１３１）。
【００５１】
次いで、ジョブログ送信時期受付手段２８ｆは、Ｓ１３１において受け付けた時期をジョブログ送信時期指定情報２７ｅに保存して（Ｓ１３２）、図５に示す動作を終了する。
【００５２】
次に、ジョブを実行する場合のＭＦＰ２０の動作について説明する。
【００５３】
図６は、ジョブを実行する場合のＭＦＰ２０の動作のフローチャートである。
【００５４】
図６に示すように、ＭＦＰ２０の制御部２８のジョブ実行手段２８ａは、「印刷」のジョブ、「コピー」のジョブ、「ファックス」のジョブなど、画像に基づいたジョブを実行する（Ｓ１６１）。
【００５５】
また、ＭＦＰ２０の制御部２８のＲＡＷ画像保存手段２８ｂは、ジョブ実行手段２８ａによるジョブの実行（Ｓ１６１）と並行して、このジョブが基づく画像のＲＡＷ画像２７ｂを記憶部２７に保存する（Ｓ１６２）。
【００５６】
制御部２８は、Ｓ１６１およびＳ１６２の終了後、図６に示す動作を終了する。
【００５７】
次に、ログ画像を生成する場合のＭＦＰ２０の動作について説明する。
【００５８】
図７は、ログ画像を生成する場合のＭＦＰ２０の動作のフローチャートである。
【００５９】
図７に示すように、ＭＦＰ２０の制御部２８のログ画像生成手段２８ｃは、現時点がログ画像生成時期指定情報２７ｄに示されている時期であるか否かを判断する（Ｓ２０１）。
【００６０】
ログ画像生成手段２８ｃは、現時点がログ画像生成時期指定情報２７ｄに示されている時期であるとＳ２０１において判断すると、記憶部２７に保存されているＲＡＷ画像２７ｂに基づいて例えばＰＤＦ（Ｐｏｒｔａｂｌｅ  Ｄｏｃｕｍｅｎｔ  Ｆｏｒｍａｔ）形式、ＪＰＥＧ（Ｊｏｉｎｔ  Ｐｈｏｔｏｇｒａｐｈｉｃ  Ｅｘｐｅｒｔｓ  Ｇｒｏｕｐ）形式などのログ画像を生成する（Ｓ２０２）。
【００６１】
次いで、ログ画像生成手段２８ｃは、Ｓ２０２において生成したログ画像を記憶部２７上のジョブログデータベース２７ｃ内のジョブログに保存する（Ｓ２０３）。
【００６２】
ログ画像生成手段２８ｃは、現時点がログ画像生成時期指定情報２７ｄに示されている時期ではないとＳ２０１において判断するか、Ｓ２０３の処理を終了すると、図７に示す動作を終了する。
【００６３】
次に、ジョブログを送信する場合のＭＦＰ２０の動作について説明する。
【００６４】
図８は、ジョブログを送信する場合のＭＦＰ２０の動作のフローチャートである。
【００６５】
図８に示すように、ＭＦＰ２０の制御部２８のジョブログ送信手段２８ｄは、現時点がジョブログ送信時期指定情報２７ｅに示されている時期であるか否かを判断する（Ｓ２３１）。
【００６６】
ジョブログ送信手段２８ｄは、現時点がジョブログ送信時期指定情報２７ｅに示されている時期であるとＳ２３１において判断すると、記憶部２７に保存されているジョブログをネットワーク通信部２６を介して管理サーバー３０に送信する（Ｓ２３２）。なお、管理サーバー３０は、ＭＦＰ２０から送信されてきたジョブログを保存する。
【００６７】
ジョブログ送信手段２８ｄは、現時点がジョブログ送信時期指定情報２７ｅに示されている時期ではないとＳ２３１において判断するか、Ｓ２３２の処理を終了すると、図８に示す動作を終了する。
【００６８】
次に、起動された場合のＭＦＰ２０の動作について説明する。
【００６９】
図９は、起動された場合のＭＦＰ２０の動作のフローチャートである。
【００７０】
図９に示すように、ＭＦＰ２０の制御部２８のログ画像生成手段２８ｃは、ログ画像が生成されていないＲＡＷ画像２７ｂが記憶部２７に保存されているか否かを判断する（Ｓ２６１）。
【００７１】
ログ画像生成手段２８ｃは、ログ画像が生成されていないＲＡＷ画像２７ｂが記憶部２７に保存されているとＳ２６１において判断すると、記憶部２７に保存されているＲＡＷ画像２７ｂのうち、ログ画像が生成されていないとＳ２６１において判断したＲＡＷ画像２７ｂに基づいて例えばＰＤＦ形式、ＪＰＥＧ形式などのログ画像を生成する（Ｓ２６２）。
【００７２】
次いで、ログ画像生成手段２８ｃは、Ｓ２６２において生成したログ画像を記憶部２７上のジョブログデータベース２７ｃ内のジョブログに保存する（Ｓ２６３）。
【００７３】
ログ画像生成手段２８ｃは、ログ画像が生成されていないＲＡＷ画像２７ｂが記憶部２７に保存されていないとＳ２６１において判断するか、Ｓ２６３の処理を終了すると、図９に示す動作を終了する。
【００７４】
以上に説明したように、ＭＦＰ２０は、画像に基づいたジョブの実行（Ｓ１６１）と並行してこの画像のＲＡＷ画像２７ｂを記憶部２７に保存し（Ｓ１６２）、記憶部２７に保存したＲＡＷ画像２７ｂに基づいてログ画像をジョブの実行の終了後に生成する（Ｓ２０２またはＳ２６２）ので、ログ画像を生成する場合であってもジョブを早期に実行することができる。
【００７５】
なお、ＭＦＰ２０は、ＲＡＷ画像２７ｂを記憶部２７に保存する処理（Ｓ１６２）が必要である。しかしながら、ＲＡＷ画像２７ｂを記憶部２７に保存する処理（Ｓ１６２）は、ＲＡＷ画像２７ｂに基づいてログ画像を生成する処理（Ｓ２０２またはＳ２６２）よりも処理の負荷が軽い。
【００７６】
また、ＭＦＰ２０は、記憶部２７が不揮発性の記憶デバイスであるので、ログ画像の生成中に電源が遮断されたとしても、その後、起動された場合に、記憶部２７に保存されているＲＡＷ画像２７ｂに基づいてログ画像を生成する（Ｓ２６１でＹＥＳおよびＳ２６２）ことができる。したがって、ＭＦＰ２０は、実行したジョブのログ画像が生成されないという不具合の発生を抑えることができる。
【００７７】
また、ＭＦＰ２０は、ログ画像の生成中に電源が遮断されたとしても、その後、起動された場合に、記憶部２７に保存されているＲＡＷ画像２７ｂに基づいてログ画像を自動で生成する（Ｓ２６１でＹＥＳおよびＳ２６２）ことができる。したがって、ＭＦＰ２０は、実行したジョブのログ画像が生成されないという不具合の発生をより確実に抑えることができる。
【００７８】
ＭＦＰ２０は、ログ画像生成時期受付手段２８ｅによって受け付けられた時期にログ画像生成手段２８ｃがログ画像を生成する（Ｓ２０１でＹＥＳおよびＳ２０２）ので、管理者が希望する時期にログ画像を生成することができる。
【００７９】
なお、ログ画像生成手段２８ｃは、ジョブの実行の終了後にログ画像を生成するようになっていれば良いので、ジョブの実行の終了の直後にログ画像を生成するようになっていても良い。
【００８０】
ＭＦＰ２０は、ジョブログ送信時期受付手段２８ｆによって受け付けられた時期にジョブログ送信手段２８ｄがジョブログを送信する（Ｓ２３１でＹＥＳおよびＳ２３２）ので、管理者が希望する時期にジョブログを送信することができる。
【００８１】
なお、ジョブログ送信時期受付手段２８ｆは、ジョブログの生成後にジョブログを送信するようになっていれば良いので、ジョブログの生成の終了の直後にジョブログを送信するようになっていても良い。
【００８２】
画像形成システム１０は、本実施の形態においてＭＦＰ２０のジョブログをＭＦＰ２０自身だけでなく管理サーバー３０においても保存するようになっているが、ＭＦＰ２０のジョブログをＭＦＰ２０自身だけで保存するようになっていても良いし、管理サーバー３０だけで保存するようになっていても良い。
【００８３】
また、画像形成システム１０は、本実施の形態において本発明の画像形成装置としてＭＦＰを備えているが、プリンター専用機、コピー専用機、ＦＡＸ専用機など、ＭＦＰ以外の画像形成装置を備えていても良い。
【符号の説明】
【００８４】
２０  ＭＦＰ（画像形成装置）
２７  記憶部（記憶デバイス）
２７ａ  ジョブ実行プログラム
２７ｂ  ＲＡＷ画像
２７ｃ  ジョブログデータベース
２８ａ  ジョブ実行手段
２８ｂ  ＲＡＷ画像保存手段
２８ｃ  ログ画像生成手段
２８ｄ  ジョブログ送信手段（ログ画像送信手段）
２８ｅ  ログ画像生成時期受付手段
２８ｆ  ジョブログ送信時期受付手段（ログ画像送信時期受付手段）
【図１】
2014179961.tif 000003
【図２】
2014179961.tif 000004
【図３】
2014179961.tif 000005
【図４】
2014179961.tif 000006
【図５】
2014179961.tif 000007
【図６】
2014179961.tif 000008
【図７】
2014179961.tif 000009
【図８】
2014179961.tif 000010
【図９】
2014179961.tif 000011